(57)【要約】【課題】  構造が簡単で、使いやすく、安価な靴乾燥機を得るにある。【解決手段】  本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターとで靴乾燥機を構成している。【選択図】  図１
2006102460.tif 000002
【特許請求の範囲】
【請求項１】
本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターとからなることを特徴とする靴乾燥機。
【請求項２】
本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターと、前記本体内の前記空気通路に着脱自在に取り付けることができ、消臭剤や芳香剤、殺菌剤などの薬剤を含浸させるか、もしくは固体化させて空気中に蒸散させることができる薬剤体とからなることを特徴とする靴乾燥機。
【請求項３】
本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターと、前記本体内の前記空気通路に取り付けた殺菌・除臭のための紫外線を発生することができる紫外線発光ダイオードや紫外線蛍光灯などの紫外線発光灯とからなることを特徴とする靴乾燥機。
【請求項４】
本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターと、前記本体内の前記空気通路に着脱自在に取り付けることができ、消臭剤や芳香剤、殺菌剤などの薬剤を含浸させるか、もしくは固体化させて空気中に蒸散させることができる薬剤体と、前記本体内の前記空気通路に取り付けた殺菌・除臭のための紫外線を発生することができる紫外線発光ダイオードや紫外線蛍光灯などの紫外線発光灯とからなることを特徴とする靴乾燥機。
【発明の詳細な説明】
【技術分野】
【０００１】  本発明は、吸湿した靴の内部を乾燥させる靴乾燥機に関する。
【背景技術】
【０００２】  従来、湿気たり濡れた靴は、自然乾燥させたり、乾燥室に入れたり、除湿剤を靴の中に入れたり、もしくは、空気や温風を靴の中に送り込み乾燥させていた。【０００３】  空気を靴の中に送り込む背景技術として「靴の内部に間隙をもたせて挿入可能な形状に形成された中空の本体ケース内に、モータで回転駆動される通風ファンが備えられ、靴の履き口に収まる本体ケースの基端部に、外気を吸入するための吸気孔が設けられ、少なくとも靴の爪先側に収まる本体ケースの先端部の周りに、靴内に前記吸入外気を排出する排気孔が設けられていることを特徴とする靴用乾燥器。」がある（特許文献１参照）。【０００４】  また、ヒーターで暖めた空気を靴の中に送り込む背景技術として「開口を有する一端部を靴の中に挿入した状態で別の開口を有する他端部が靴から外部へ突出する筒状の本体内に、前記両端部の開口の一方から他方へ送風する電動送風機を配設したことを特徴とする靴乾燥具。」がある（特許文献２参照）。【０００５】  また、「靴掛け部と吸込口と前記靴掛け部に開口した吹出口とを外殻部に有する乾燥機本体と、この乾燥機本体に前記吸込口に吸込側を連通させて内蔵されたファンモーターと、前記乾燥機本体に前記ファンモーターおよび吹出口に連通させて内蔵されたヒーターと、このヒーターの発熱量を少なくとも高低に切り換える発熱量切換手段と、前記靴掛け部に設けられた吸着式脱臭手段と、この吸着式脱臭手段に吸着した臭気を除去する再生手段とを備えたことを特徴とする靴乾燥機。」がある。（実用新案文献１参照）【０００６】
【特許文献１】特願平０３−２１１８２９号公報
【特許文献２】特願平０８−０９６４０２号公報
【実用新案文献１】
実願平５−１２５１２号公報
【発明の開示】
【発明が解決しようとする課題】
【０００７】  従来、靴乾燥機は構造が複雑で、高価であるという欠点があった。【０００８】  本発明は以上のような従来の欠点に鑑み、構造が簡単で、使いやすく、安価な靴乾燥機を提供することを目的としている。【０００９】  本発明の、前記ならびにそのほかの目的と新規な特徴は次の説明を添付図面と照らし合わせて読むと、より明らかになるであろう。
ただし、図面はもっぱら解説のためのものであって、本発明の技術範囲を限定するものではない。
【課題を解決するための手段】
【００１０】  上記目的を達成するために、請求項１記載の発明は、本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターとで靴乾燥機を構成している。【００１１】  上記目的を達成するために、請求項２記載の発明は、本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターと、前記本体内の前記空気通路に着脱自在に取り付けることができ、消臭剤や芳香剤、殺菌剤などの薬剤を含浸させるか、もしくは固体化させて空気中に蒸散させることができる薬剤体とで靴乾燥機を構成している。【００１２】  上記目的を達成するために、請求項３記載の発明は、本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターと、前記本体内の前記空気通路に取り付けた殺菌・除臭のための紫外線を発生することができる紫外線発光ダイオードや紫外線蛍光灯などの紫外線発光灯とで靴乾燥機を構成している。【００１３】  上記目的を達成するために、請求項４記載の発明は、本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターと、前記本体内の前記空気通路に着脱自在に取り付けることができ、消臭剤や芳香剤、殺菌剤などの薬剤を含浸させるか、もしくは固体化させて空気中に蒸散させることができる薬剤体と、前記本体内の前記空気通路に取り付けた殺菌・除臭のための紫外線を発生することができる紫外線発光ダイオードや紫外線蛍光灯などの紫外線発光灯とで靴乾燥機を構成している。
【発明の効果】
【００１４】（１）請求項１記載の発明は、本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターとで構成されているので、送気された空気により靴を内部から除湿、乾燥させることができ、乾燥後の靴を快適かつ衛生的に使用できる効果がある。【００１５】（２）前記（１）によって、靴の湿気を少なくすることができるので、カビや雑菌の発生や発育を抑えると共に、カビや雑菌による靴の損傷や悪臭を少なくし、靴を快適かつ衛生的に使用することができるとともに、靴を長持ちさせることができる効果がある。【００１６】（３）前記（１）によって、温風を使用せず気温と同じ空気を使用するので、靴が乾燥し過ぎて割れたり、熱により変質したり、縮んだする品質劣化を防いで除湿、乾燥できる効果がある。【００１７】（４）前記（１）によって、構造が簡単で安価に制作することができるとともに、使いやすいので子供や老人にも簡単に使用できる効果がある。【００１８】（５）請求項２記載の発明は、本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターと、前記本体内の前記空気通路に着脱自在に取り付けることができ、消臭剤や芳香剤、殺菌剤などの薬剤を含浸させるか、もしくは固体化させて空気中に蒸散させることができる薬剤体とで構成されているので、前記（１）から（４）の効果に加え、消臭剤や芳香剤、殺菌剤などにより、靴の内部の臭いを消したり、香しい臭いをつけたり、雑菌を殺菌することができ、乾燥後の靴を快適にかつ衛生的に使用できる効果があるとともに、効果が薄れたときに消臭剤や芳香剤、殺菌剤などを新しいものに取り替え、効果を持続させることができる。【００１９】（６）請求項３記載の発明は、本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターと、前記本体内の前記空気通路に取り付けた殺菌・除臭のための紫外線を発生することができる紫外線発光ダイオードや紫外線蛍光灯などの紫外線発光灯とで構成されているので、前記（１）から（４）の効果に加え、紫外線発光ダイオードや紫外線蛍光灯などの紫外線発光灯により、紫外線でオゾンを発生させて、靴内部の臭いを消したり、雑菌を殺菌することができるので、乾燥後の靴を快適にかつ衛生的に使用できる効果がある。【００２０】（７）請求項４記載の発明は、本体と、その本体の外殻部に開口した吸気口と、その吸気口と連通し前記本体の外郭部に開口した送気口と、その送気口と連通した排気口を有し前記本体に取り付けるかもしくは前記本体と一体形成して靴の中に差し込むことができる中空ダクトと、前記吸気口から前記送気口に通じる前記本体内の空気通路に備えた送気可能な回転ファンと、その回転ファンを回転させる電動モーターと、前記本体内の前記空気通路に着脱自在に取り付けることができ、消臭剤や芳香剤、殺菌剤などの薬剤を含浸させるか、もしくは固体化させて空気中に蒸散させることができる薬剤体と、前記本体内の前記空気通路に取り付けた殺菌・除臭のための紫外線を発生することができる紫外線発光ダイオードや紫外線蛍光灯などの紫外線発光灯とで構成されているので、前記（１）から（６）の効果がある。
【発明を実施するための最良の形態】
【００２１】  以下、図面に示す実施の形態により、本発明を詳細に説明する。【００２２】  図１ないし図５に示す本発明の第１の実施形態において、１は中空の本体で、その本体１の外郭部に吸気口２が開口されている。【００２３】  ３は前記本体１の外郭部に開口された送気口で、その送気口３は、前記吸気口２と前記本体１の内部で連通している。【００２４】  ４、４は前記本体１の外面に取り付けられた中空ダクトで、靴１１、１１の中に差し込む事ができ、その中空ダクト４、４の先端には前記送気口３に連通して排気口４ａ、４ａが設けられている。【００２５】  前記吸気口２から前記送気口３に通じる前記本体１内部の空気通路には、回転ファン６が備えられ、その回転ファン６は電動モーター５の回転軸５ａに取り付けられていて、前記電動モーター５の回転駆動により回転して、前記送気口３に向けて送気することができる。【００２６】  前記本体１の内部には、電源７と、操作用に一部が外部に露出したスイッチ８が収納されており、前記電源７から前記スイッチ８には電気コード９ａ、前記スイッチ８から前記電動モーター５には電気コード９ｂにより送電される。【００２７】  上記構成の靴乾燥機機１０Ａを使用する場合、前記靴１１、１１の内部に前記排気口４ａ、４ａが収まるように前記中空ダクト４、４を差し込む。
次に、前記スイッチ８を操作してオンにし、前記電動モーター５を駆動させて、前記回転軸５ａに取付けた前記回転ファン６を回転させる。
前記回転ファン６の送気により、前記吸気口２より取り込まれた空気が、前記送気口３を経て、前記排気口４ａ、４ａより排気され、その排気により前記靴１１、１１の内部に空気が送り込まれる。【００２８】  したがって、前記回転ファン６により送気された空気により前記靴１１、１１を内部から除湿、乾燥させることができ、乾燥後の前記靴１１、１１を快適かつ衛生的に使用できる効果がある。【００２９】  また、靴１１、１１の湿気を少なくさせることができるので、カビや雑菌の発生や発育を抑えると共に、カビや雑菌による靴の損傷や悪臭を少なくし、靴を快適かつ衛生的に使用することができるとともに、靴を長持ちさせることができる効果がある。【００３０】  また、温風を使用せず気温と同じ空気を使用するので、靴が乾燥し過ぎて割れたり、熱により変質したり、縮んだする靴の品質劣化を防いで除湿、乾燥できる効果がある【００３１】  また、構造が簡単で安価に制作することができるとともに、使いやすいので子供や老人にも簡単に使用できる効果がある。
【実施例】
【００３２】  次に、図６ないし図１１に示す本発明の異なる実施の形態について説明する。
なお、これらの本発明の異なる実施の形態の説明に当たって、前記本発明の第１の実施の形態と同一構成部分には同一符号を付して重複する説明を省略する。【００３３】  図６ないし図１１に示す本発明の第２の実施形態において、前記本発明の第１の実施の形態と主に異なる点は、消臭剤や芳香剤、殺菌剤などの薬剤を含浸させるか、もしくは固体化させて空気中に蒸散させることができる薬剤体１２と、その薬剤体１２を保持し指でつまめる保持具１３と、前記薬剤体１２と前記保持具１３を前記本体１の外郭部に設けた挿入口１４により、前記本体１内部の空気通路に着脱自在に取り付けることができるようにした点で、このように構成した靴乾燥機１０Ｂは、前記本発明の第１の実施の形態と同様な作用効果が得られるとともに、消臭剤や芳香剤により靴１１，１１内部の消臭や香り付けをすることができ、また殺菌剤などにより靴１１，１１内部のカビや雑菌の殺菌ができるので、靴１１，１１を快適かつ衛生的に使用できる効果がある。【００３４】  図１２ないし図１７に示す本発明の第３の実施形態において、前記本発明の第１の実施の形態と主に異なる点は、前記本体１内部の空気通路に紫外線発光灯１５を取付け、前記スイッチ８から、前記紫外線発光灯１５に電気コード９ｃにより送電できるようにした点で、このように構成した靴乾燥機１０Ｃは、前記本発明の第１の実施の形態と同様な作用効果が得られるとともに、紫外線発光ダイオードや紫外線蛍光灯などの前記紫外線発光灯１５の発光により空気中にオゾンを発生させて、そのオゾンにより靴内部の臭いを消したり、雑菌を殺菌することができるので、靴１１、１１を快適にかつ衛生的に使用できる効果がある。【００３５】  図１８ないし図２３に示す本発明の第４の実施形態において、前記本発明の第２の実施の形態と主に異なる点は、４、４は前記本体１一体形成された中空ダクトで、靴１１、１１の中に差し込む事ができ、その中空ダクト４、４の先端には前記送気口３、３に連通して排気口４ａ、４ａが設けられている点と、前記本体１内部の空気通路に紫外線発光灯１５を取付け、前記スイッチ８から、前記紫外線発光灯１５に電気コード９ｃにより送電できるようにした点で、このように構成した靴乾燥機１０Ｄは、前記本発明の第１、第２、第３の実施の形態と同様な作用効果が得られる。
【図面の簡単な説明】
【００３６】
【図１】本発明の、第１の実施の形態の使用状態の斜視図。
【図２】本発明の、第１の実施の形態の斜視図。
【図３】図２のＡ−Ａ線に沿う断面図。
【図４】図３のＢ−Ｂ線に沿う断面図。
【図５】図４のＣ−Ｃ線に沿う断面図。
【図６】本発明の、第２の実施の形態の使用状態の斜視図。
【図７】本発明の、第２の実施の形態の斜視図。
【図８】図７のＤ−Ｄ線に沿う断面図。
【図９】図８のＥ−Ｅ線に沿う断面図。
【図１０】図９のＦ−Ｆ線に沿う断面図。
【図１１】図９のＧ−Ｇ線に沿う断面図。
【図１２】本発明の、第３の実施の形態の使用状態の斜視図。
【図１３】本発明の、第３の実施の形態の斜視図。
【図１４】図１３のＨ−Ｈ線に沿う断面図。
【図１５】図１４のＩ−Ｉ線に沿う断面図。
【図１６】図１５のＪ−Ｊ線に沿う断面図。
【図１７】図１５のＫ−Ｋ線に沿う断面図。
【図１８】本発明の、第４の実施の形態の使用状態の斜視図。
【図１９】本発明の、第４の実施の形態の斜視図。
【図２０】図１９のＬ−Ｌ線に沿う断面図。
【図２１】図２０のＭ−Ｍ線に沿う断面図。
【図２２】図２１のＮ−Ｎ線に沿う断面図。
【図２３】図２１のＯ−Ｏ線に沿う断面図。
【符号の説明】
【００３７】１：本体
２：吸気口
３：送気口
４：中空ダクト
４ａ：排気口
５：電動モーター
５ａ：回転軸
６：回転ファン
７：電源
８：スイッチ
９ａ、９ｂ、９ｃ：電気コード
１０Ａ、１０Ｂ、１０Ｃ、１０Ｄ：靴乾燥機
１１：靴
１２：薬剤体
１３：保持具
１４：挿入口
１５：紫外線発光灯
【図１】
2006102460.tif 000003
【図２】
2006102460.tif 000004
【図３】
2006102460.tif 000005
【図４】
2006102460.tif 000006
【図５】
2006102460.tif 000007
【図６】
2006102460.tif 000008
【図７】
2006102460.tif 000009
【図８】
2006102460.tif 000010
【図９】
2006102460.tif 000011
【図１０】
2006102460.tif 000012
【図１１】
2006102460.tif 000013
【図１２】
2006102460.tif 000014
【図１３】
2006102460.tif 000015
【図１４】
2006102460.tif 000016
【図１５】
2006102460.tif 000017
【図１６】
2006102460.tif 000018
【図１７】
2006102460.tif 000019
【図１８】
2006102460.tif 000020
【図１９】
2006102460.tif 000021
【図２０】
2006102460.tif 000022
【図２１】
2006102460.tif 000023
【図２２】
2006102460.tif 000024
【図２３】
2006102460.tif 000025